(57)【要約】【課題】本発明は誰でもが容易に透明あるいは半透明材製の装飾品本体の表面はそのままの状態で、楽しく楽に装飾することができるとともに、転写状態できれいに装飾を施すことができる装飾品を得るにある。【解決手段】透明あるいは半透明のガラスあるいは合成樹脂材で形成された皿、容器、灰皿等の装飾品本体と、この装飾品本体の裏面に表面に塗布された透明材製の接着剤や粘着剤によって貼着固定された金属紙や和紙等の装飾シートとで装飾品を構成している。【選択図】  図３
2004330747.tif 000002
【特許請求の範囲】
【請求項１】
透明あるいは半透明のガラスあるいは合成樹脂材で形成された皿、容器、灰皿等の装飾品本体と、この装飾品本体の裏面に表面に塗布された透明材製の接着剤や粘着剤によってそのまま貼着固定あるいは揉んでしわを形成した後に貼着固定された金属紙や和紙等の装飾シートとからなることを特徴とする装飾品。
【請求項２】
透明あるいは半透明のガラスあるいは合成樹脂材で形成された皿、容器、灰皿等の装飾品本体と、この装飾品本体の裏面に表面に塗布された透明材製の接着剤や粘着剤によって貼着固定された、プリントや転写等によって文字や絵等の模様が形成された金属紙や和紙等の装飾シートと、この装飾シートの裏面を覆うようにフイルム材を接着固定あるいはマニキュアのトップコート、即乾性カラーや透明な接着剤を塗布して形成したコート層とからなることを特徴とする装飾品。
【請求項３】
透明あるいは半透明のガラスあるいは合成樹脂材で形成された皿、容器、灰皿等の装飾品本体と、この装飾品本体の裏面に表面に塗布された透明材製の接着剤や粘着剤によって貼着固定された、プリントや転写等によって文字や絵等の模様が形成された金属紙や和紙等の装飾シートと、この装飾シートの裏面に該装飾シートを着色あるいは変色させることができるインク、マニキュア、マニキュアのトップコート、接着剤等で記載あるいは塗布された背景模様とからなることを特徴とする装飾品。
【発明の詳細な説明】
【０００１】
【発明の属する技術分野】
本発明は皿、容器、灰皿、ペーパーウェイト、コースター等の装飾品本体に装飾を施した装飾品に関する。
【０００２】
【従来の技術】
従来、この種の装飾品は皿状の装飾品本体の表面に絵付けを行なったり、写真を貼着あるいはプリントしている。
【０００３】
【発明が解決しようとする課題】
従来の装飾品は皿状の装飾品本体の表面に絵付けや写真を貼着あるいはプリントしているため、食事の皿として使用することができず、単に飾るだけにしか使用することができないという欠点があった。
【０００４】
本発明は以上のような従来の欠点に鑑み、誰でもが容易に透明あるいは半透明材製の装飾品本体の表面はそのままの状態で、楽しく楽に装飾することができるとともに、転写状態できれいに装飾を施すことができる装飾品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は透明あるいは半透明のガラスあるいは合成樹脂材で形成された皿、容器、灰皿等の装飾品本体と、この装飾品本体の裏面に表面に塗布された透明材製の接着剤や粘着剤によってそのまま貼着固定あるいは揉んでしわを形成した後に貼着固定された金属紙や和紙等の装飾シートとで装飾品を構成している。
【０００７】
【発明の実施の形態】
以下、図面に示す実施の形態により、本発明を詳細に説明する。
【０００８】
図１ないし図６に示す本発明の第１の実施の形態において、１は本発明の装飾品で、この装飾品１は透明あるいは半透明のガラスあるいは合成樹脂材で皿状に形成された装飾品本体２と、この装飾品本体２の裏面に表面に塗布された透明材性の接着剤や粘着剤３によって、そのまま、あるいは接着ミスとならなず、かつ確実に接着できるように全体を揉んでしわを形成した後に貼着固定された、プリントや転写によって文字や絵等の模様４が形成された和紙の装飾シート５と、この装飾シート５の裏面を覆うようにフイルム材を接着固定あるいはマニキュアのトップコート、即乾性カラーや透明な接着剤を塗布して形成したコート層６とで構成されている。
【０００９】
前記装飾シート５は図４に示すように和紙７と、この和紙７の表面にプリントや転写等によって形成された文字や絵等の模様４と、この模様４を覆うように塗布された、透明あるいは半透明材製の接着剤や粘着剤３と、この接着剤や粘着剤３の全表面を覆う貼着面８ａに縦横方向に０．数ｍｍ〜１ｍｍ程度の微小間隔で溝９が形成された格子状の小さな凹凸１０が形成された剥離紙８とで構成されている。
【００１０】
上記構成の装飾品１は装飾品本体２の裏面に装飾シート５の剥離紙８を除去して、接着剤や粘着剤３を貼着固定させる。
この時、接着剤や粘着剤３の表面は押し圧された剥離シート８の貼着面８ａの小さな凹凸１０により、小さな凹凸１０が形成されているため、中央寄りの部位等に気泡が生じることなく、貼着固定することができる。
なお、装飾シート５はそのまま使用したり、ハサミ等によって任意の形に加工した後に使用してもよい。
装飾シート５を貼着固定後に、装飾シート５を覆うようにコート層６を形成することにより、洗浄したりしても装飾シート５が脱落するのを防止できる。
このように装飾が施された装飾品１は、装飾品本体２の表面には何も加工されていないため、安全に食品等をのせて使用することができるとともに、装飾シート５や該装飾シート５の模様４が装飾品本体２が透明あるいは半透明材であるため、表面からきれいに見せることができる。
また、装飾シート５を揉んで全体にしわを形成した後に貼着固定させることにより、装飾シート５を揉まずに使用したときのように貼着固定時にしわが生じ貼着ミスと見えるのを阻止することができ、気泡の発生を阻止して確実に貼着固定できるとともに、曲面部位にでも綺麗に貼着固定させることができる。
【００１１】
【発明の異なる実施の形態】
次に、図７ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図７ないし図９に示す本発明の第２の実施の形態において、前記本発明の第１の実施の形態と主に異なる点は、装飾品本体２の裏面に装飾シート５を貼着固定した後、該装飾シート５を着色あるいは変色させることができるインク、マニキュア、マニキュアのトップコート、接着剤等で記載あるいは塗布された背景模様１１を形成するとともに、該背景模様１１がインク、マニキュア等の場合には、その後にコート層６を形成した点で、このように構成した装飾品１Ａにしても、前記本発明の第１の実施の形態と同様な作用効果が得られるとともに、装飾シート５に背景模様１１を形成してデザイン化を図ることができる。
【００１３】
図１０ないし図１２に示す本発明の第３の実施の形態において、前記本発明の第２の実施の形態と主に異なる点は、模様のない装飾シート５Ａを用いた点で、このような装飾シート５Ａを用いて構成した装飾品１Ｂにしてもよい。
【００１４】
図１３ないし図１５に示す本発明の第４の実施の形態において、前記本発明の第１の実施の形態と主に異なる点は、金、銀、銅等の金属紙１２を用いた装飾シート５Ｂを用いた点で、このような装飾シート５Ｂを用いて構成した装飾品１Ｃにしてもよい。
【００１５】
図１６ないし図１８に示す本発明の第５の実施の形態において、前記本発明の第４の実施の形態と主に異なる点は、模様のない金、銀、銅等の金属箔あるいは金属紙１２を用いた装飾シート５Ｃを用いた点で、このような装飾シート５Ｃを用いて構成した装飾品１Ｄにしてもよい。
【００１６】
なお、前記本発明の各実施の形態では装飾品本体２を皿状に形成したものについて説明したが、本発明はこれに限らず、容器、灰皿、ペーパーウェイト、コースター等の形状に形成された装飾品本体を用いても、同様に実施することができる。
また、貼着面が平坦な剥離紙を用いた装飾シートを用いてもよい。
【００１７】
【発明の効果】
以上の説明から明らかなように、本発明にあっては次に列挙する効果が得られる。
【００１８】
（１）透明あるいは半透明のガラスあるいは合成樹脂材で形成された皿、容器、灰皿等の装飾品本体と、この装飾品本体の裏面に表面に塗布された透明材製の接着剤や粘着剤によってそのまま貼着固定あるいは揉んでしわを形成した後に貼着固定された金属紙や和紙等の装飾シートとで構成されているので、装飾シートの装飾品本体の裏面への貼着固定時に接着剤や粘着剤の塗布作業が不要で、楽にきれいに装飾シートを貼着固定することができる。
したがって、気軽に装飾品の製作を行なうことができる。
【００１９】
（２）前記（１）によって、装飾シートの貼着固定時に接着剤や粘着剤が外部へはみ出したりすることがなく、きれいに仕上げることができる。
特に装飾シートを揉んでしわを形成した後に、貼着固定させた場合には貼着固定ミスによるしわが目立つことなく綺麗に貼着固定させたように見せることができるとともに、しわによって、貼着固定時に中央部に発生する気泡を外部に排出することができ、確実に装飾品本体に貼着固定することができる。
【００２０】
（３）前記（１）によって、装飾シートは金属紙や和紙を用いているので、ある程度の伸縮が可能で、曲面部分にもしわが生じることなく貼着固定することができる。
【００２１】
（４）前記（１）によって、装飾シートは装飾品本体の裏面に貼着固定しているので、装飾品本体の表面に食品を位置させても、何らの影響を受けることなく、安全に使用することができる。
【００２２】
（５）請求項２、３も前記（１）〜（４）と同様な効果が得られるとともに、コート層によって、装飾シートの水洗等による損傷を効率よく防止することができる。
【図面の簡単な説明】
【図１】本発明の第１の実施の形態の平面図。
【図２】本発明の第１の実施の形態の底面図。
【図３】図１の３−３線に沿う断面図。
【図４】本発明の第１の実施の形態の装飾シートの説明図。
【図５】本発明の第１の実施の形態の装飾シートの貼着状態の説明図。
【図６】本発明の第１の実施の形態のコート層を形成する状態の説明図。
【図７】本発明の第２の実施の形態の平面図。
【図８】図７の８−８線に沿う断面図。
【図９】本発明の第２の実施の形態の背景模様を形成する状態の説明図。
【図１０】本発明の第３の実施の形態の平面図。
【図１１】図１０の１１−１１線に沿う断面図。
【図１２】本発明の第３の実施の形態の装飾シートの説明図。
【図１３】本発明の第４の実施の形態の平面図。
【図１４】図１３の１４−１４線に沿う断面図。
【図１５】本発明の第４の実施の形態の装飾シートの説明図。
【図１６】本発明の第５の実施の形態の平面図。
【図１７】図１６の１７−１７線に沿う断面図。
【図１８】本発明の第５の実施の形態の装飾シートの説明図。
【符号の説明】
１、１Ａ、１Ｂ、１Ｃ、１Ｄ：装飾品、
２：装飾品本体、        ３：接着剤や粘着剤、
４：模様、
５、５Ａ、５Ｂ、５Ｃ：装飾シート、
６：コート層、          ７：和紙、
８：剥離紙、            ９：溝、
１０：凹凸、            １１：背景模様、
１２：金属紙。
【図１】
2004330747.tif 000003
【図２】
2004330747.tif 000004
【図３】
2004330747.tif 000005
【図４】
2004330747.tif 000006
【図５】
2004330747.tif 000007
【図６】
2004330747.tif 000008
【図７】
2004330747.tif 000009
【図８】
2004330747.tif 000010
【図９】
2004330747.tif 000011
【図１０】
2004330747.tif 000012
【図１１】
2004330747.tif 000013
【図１２】
2004330747.tif 000014
【図１３】
2004330747.tif 000015
【図１４】
2004330747.tif 000016
【図１５】
2004330747.tif 000017
【図１６】
2004330747.tif 000018
【図１７】
2004330747.tif 000019
【図１８】
2004330747.tif 000020